(57)【特許請求の範囲】
【請求項１】
長手方向の中央を内側に曲げて折り返す折り返し部を有する可撓性とされたシート状の本体部と、
前記本体部の一端側に設けられた第１磁石と、
前記本体部の他端側に設けられ、該本体部を前記折り返し部で折り曲げた場合に前記第１磁石と対向した状態で互いに吸着する第２磁石と、
前記本体部の外側でかつ前記第１磁石に対応する位置に設けられ、該本体部の外側表面に対して指が挿入可能な空間が形成可能な第１帯部と、
前記本体部の外側でかつ前記第２磁石に対応する位置に設けられ、該本体部の外側表面に対して指が挿入可能な空間が形成可能な第２帯部と、
を備えているマグネットクリップ。
【請求項２】
前記第１帯部及び/又は前記第２帯部と前記本体部の前記外側表面との間に前記空間が指の挿入前に形成されており、
前記空間は、該本体部の前記中央側から先端側に向かう方向にしたがって狭くなる請求項１に記載のマグネットクリップ。
【請求項３】
前記第１帯部の前記本体部の前記中央側の位置と該本体部の該中央との距離は、前記第２帯部の前記本体部の前記中央側の位置と該本体部の該中央との距離よりも小さい請求項１又は２に記載のマグネットクリップ。
【請求項４】
請求項１から３のいずれかに記載されたマグネットクリップと、
前記マグネットクリップによって所定の固定位置に固定されるマスクと、
を備えているマスクセット。
【請求項５】
請求項１から３のいずれかに記載されたマグネットクリップを用いて対象物を所定の固定位置に固定するマグネットクリップの使用方法であって、
前記対象物を前記固定位置に重ねた上で、前記マグネットクリップの前記第１磁石と前記第２磁石で前記対象物及び前記固定位置を挟み込んで固定するマグネットクリップの使用方法。
【請求項６】
前記対象物は、ユーザの口に当たるフィルタ部とユーザの耳に引っ掛ける耳かけ部とを有するマスクとされ、
前記マスクの前記フィルタ部の内側面を内側にして折り畳んだ状態で、前記マグネットクリップで固定する請求項５に記載のマグネットクリップの使用方法。
【請求項７】
前記マスクの前記耳かけ部によって形成された開口に前記マグネットクリップを挿入し、
前記マスクの前記フィルタ部を前記第１磁石と前記第２磁石で挟んで固定する請求項６に記載のマグネットクリップの使用方法。
【発明の詳細な説明】
【技術分野】
【０００１】
本発明は、例えばマスクやハンカチなどの対象物を服などの所定の固定位置に仮止めできるマグネットクリップ及びこれを備えたマスクセット並びにマグネットクリップの使用方法に関する。
【背景技術】
【０００２】
新型コロナウィルス（COVID-19）やインフルエンザなどの感染症対策や花粉症対策などでマスクの利用が日本国内だけでなく世界的に増大している。
【０００３】
取り外したマスクを一時的に保管するためにマスクケースを用いることができる。マスクケースはマスクの形状が崩れることを回避できるので有用であるが、マスクの外側に付着したウィルス等をケース内に入れることになるので衛生的に問題がある。
【０００４】
一方、マスクを使い捨てで使用する場合であっても、一時的に帰宅し再び外出する際には自宅の所定の場所にマスクを仮置きすることになる。しかし、他の家族のマスクとの見分けが付かなくなってしまうおそれがある。
【０００５】
そこで、特許文献１に示すようなマグネットクリップを使って、自分の衣服や鞄などの所定の固定位置に固定することが考えられる。
【０００６】
特許文献１に開示されたマグネットクリップは、それぞれに磁石が取り付けられた２つの円板形状のクリップ本体と、クリップ本体間を接続する鎖とを備えている。２つのクリップ本体で衣服を挟み、磁石の吸着力によって固定するようになっている。
【先行技術文献】
【特許文献】
【０００７】
【特許文献１】特開平９−３２６３１１号公報
【発明の概要】
【発明が解決しようとする課題】
【０００８】
特許文献１に開示されたマグネットクリップを用いてマスクやハンカチなどの対象物を衣服に固定することは可能である。しかし、両手でそれぞれのクリップ本体を掴んで操作する必要があり、マグネットクリップによる固定操作が面倒であるという問題がある。
【０００９】
本発明は、このような事情に鑑みてなされたものであって、簡便な操作でマスクやハンカチなどの対象物を所定の固定位置に固定できるマグネットクリップ及びこれを備えたマスクセット並びにマグネットクリップの使用方法を提供することを目的とする。
【課題を解決するための手段】
【００１０】
本発明の一態様に係るマグネットクリップは、長手方向の中央を内側に曲げて折り返す折り返し部を有する可撓性とされたシート状の本体部と、前記本体部の一端側に設けられた第１磁石と、前記本体部の他端側に設けられ、該本体部を前記折り返し部で折り曲げた場合に前記第１磁石と対向した状態で互いに吸着する第２磁石と、前記本体部の外側でかつ前記第１磁石に対応する位置に設けられ、該本体部の外側表面に対して指が挿入可能な空間が形成可能な第１帯部と、前記本体部の外側でかつ前記第２磁石に対応する位置に設けられ、該本体部の外側表面に対して指が挿入可能な空間が形成可能な第２帯部と、を備えている。
【００１１】
可撓性を有するシート状の本体部の両端に第１磁石と第２磁石が設けられている。本体部の長手方向における中央の折り返し部を内側に曲げて折り返すことによって、第１磁石と第２磁石とを対向させて互いに吸着させることでてクリップを行う。
第１磁石に対応する位置には、本体部の外側に対して指が挿入可能な空間を形成する第１帯部が設けられ、第２磁石に対応する位置には、本体部の外側に対して指が挿入可能な空間を形成する第２帯部が設けられている。これにより、ユーザは、例えば、第１帯部に親指を挿入し、かつ第２帯部に中指や人差し指を挿入することによって、片手で第１磁石と第２磁石とを接近離間させることができる。したがって、片手による簡便な操作でマスクやハンカチなどの対象物を所定の固定位置に固定できる。マスクとしては、使い捨て可能な不織布マスクや、繰り返し使用可能な布マスクなど、様々な形態のマスクを意味する。
なお、第１帯部及び第２帯部は、本体部の外側表面との間に空間が形成可能とされていれば良い。例えば、帯部をアーチ形状に形成して本体部の外側表面との間に空間を指の挿入前から形成する構成としても良いし、帯部をゴム等で形成し、指の挿入前は本体部の外側表面に対して帯部が接した状態とし、指を挿入することによって帯部を押し広げて空間を形成するようにしても良い。
【００１２】
さらに、本発明の一態様に係るマグネットクリップでは、前記第１帯部及び/又は前記第２帯部と前記本体部の前記外側表面との間に前記空間が指の挿入前に形成されており、前記空間は、該本体部の中央側から先端側に向かう方向にしたがって狭くなる。
【００１３】
第１帯部及び/又は第２帯部と本体部の外側表面との間に形成された空間が、本体部の中央側から先端側に向かう方向にしたがって狭くなるように形成されている。すなわち、帯部と本体部の外側表面との間の空間に指を挿入する際に、挿入する側ほど空間が大きくなるようになっている。これにより、指が挿入しやすくなるだけでなく、指が奥に行くほど空間が狭くなるので挿入後の指を確実に保持することができる。
【００１４】
さらに、本発明の一態様に係るマグネットクリップでは、前記第１帯部の前記本体部の前記中央側の位置と該本体部の該中央との距離は、前記第２帯部の前記本体部の前記中央側の位置と該本体部の該中央との距離よりも小さい。
【００１５】
第１帯部の本体部の中央側の位置（すなわち第１帯部に指を挿入する位置）は、第２帯部の本体部の中央側の位置（すなわち第２帯部に指を挿入する位置）よりも、本体部の中央寄りに位置させることとした。これにより、親指を第１帯部に挿入し、中指や人差し指を第２帯部に挿入する場合に、親指は中指や人差し指よりも短いので、第１帯部に親指を挿入しやすくなる。
【００１６】
本発明の一態様に係るマスクセットは、上記のいずれかに記載されたマグネットクリップと、前記マグネットクリップによって所定の固定位置に固定されるマスクと、を備えている。
【００１７】
マグネットクリップでマスクを所定の固定位置に固定することができるので、マスクを紛失することを可及的に防止できる。
【００１８】
本発明の一態様に係るマグネットクリップの使用方法は、上記のいずれかに記載されたマグネットクリップを用いて対象物を所定の固定位置に固定するマグネットクリップの使用方法であって、前記対象物を前記固定位置に重ねた上で、前記マグネットクリップの前記第１磁石と前記第２磁石で前記対象物及び前記固定位置を挟み込んで固定する。
【００１９】
対象物をマグネットクリップで所定位置に固定することができるので、対象物を紛失することを可及的に防止できる。
所定の固定位置としては、例えば、Ｔシャツやポロシャツなどの衣服の裾部分や、ポケットなどを挙げることができる。
【００２０】
さらに、本発明の一態様に係るマグネットクリップの使用方法では、前記対象物は、ユーザの口に当たるフィルタ部とユーザの耳に引っ掛ける耳かけ部とを有するマスクとされ、前記マスクの前記フィルタ部の内側面を内側にして折り畳んだ状態で、前記マグネットクリップで固定する。
【００２１】
マスクのフィルタ部の内側面（ユーザの口に当たる面）を内側にして折り畳んだ状態で固定することができるので、衛生的にマスクを固定することができる。例えば、ユーザがインフルエンザや新型コロナウィルス等に感染していたとしても、マスクを内側に折り込んで保管することで内側にウィルスを閉じ込め外部に感染させるリスクを減らすことができる。さらに、テーブルに付着した目に見えないウィルスの上に、外したマスクを置いてユーザが再度マスクを装着し、ウィルスに感染してしまうリスクを減らすことができる。このように、感染させるリスク対策だけでなく、感染するリスク対策として使用することができる。
【００２２】
さらに、本発明の一態様に係るマグネットクリップの使用方法では、前記マスクの前記耳かけ部によって形成された開口に前記マグネットクリップを挿入し、前記マスクの前記フィルタ部を前記第１磁石と前記第２磁石で挟んで固定する。
【００２３】
耳かけ部によって形成された開口にマグネットクリップを挿入してマスクのフィルタ部を固定することとしたので、コンパクトにマスクを固定することができる。
【発明の効果】
【００２４】
片手による簡便な操作でマスクやハンカチなどの対象物を所定の固定位置に固定できる。
【図面の簡単な説明】
【００２５】
【図１】本発明の一実施形態に係るマグネットクリップの平面図である。
【図２】図１のマグネットクリップの底面図である。
【図３】図１及び図２に示したマグネットクリップを折り返した状態を示した斜視図である。
【図４】図１及び図２に示したマグネットクリップをユーザの指に装着した状態を示した斜視図である。
【図５】図１及び図２に示したマグネットクリップを用いてＴシャツの裾にマスクを固定した状態を示した正面図である。
【発明を実施するための形態】
【００２６】
以下に、本発明の一実施形態に係るマグネットクリップ及びこれを備えたマスクセット並びにマグネットクリップの使用方法について、図面を参照して説明する。
【００２７】
図１には、マグネットクリップ１の外側を示した平面図が示されている。マグネットクリップ１は、可撓性とされたシート状の本体部３を備えている。本体部３の材料としては、例えばシリコーンゴムやビニール等の樹脂を用いることができる。なお、本体部３の材料としては、樹脂に限らず紙製や他の材料を用いても良い。本体部３は、長手方向における一端３ａと他端３ｂが中央３ｃよりも幅広とされたひょうたん型の形状とされている。
【００２８】
図３に示すように、本体部３は、中央３ｃの折り返し部５にて曲げて折り返すことができるようになっている。なお、折り返し部５は仮想上の位置であって、物理的に折れ線等が設けられているわけではない。
【００２９】
図１に示すように、本体部３の一端３ａ側には、第１帯部１０ａが設けられている。第１帯部１０ａは、本体部３の外側表面３ｄに対して固定されている。具体的には、第１帯部１０ａの幅方向（図１において上下方向）における両端が縫合や接着等によって固定されている。図３に示すように、第１帯部１０ａは、幅方向における中央部が隆起して、本体部３の外側表面３ｄに対して空間が形成されるようにアーチ状に設けられている。第１帯部１０ａと本体部３の外側表面３ｄとの間に形成された空間は、スリッパのように、本体部３の中央３ｃ側から一端３ａ側の先端に向かう方向にしたがって狭くなるように（換言すると第１帯部１０ａの高さが低くなるように）形成されている。第１帯部１０ａと本体部３の外側表面３ｄとの間に形成された空間は、例えばユーザの親指が挿入できる大きさとなっている。
【００３０】
本体部３の他端３ｂ側には、第２帯部１０ｂが設けられている。第２帯部１０ｂは、第１帯部１０ａと同形状であり、中央３ｃに関して対称に設けられている。したがって、第１帯部１０ａの中央３ｃ側の位置と中央３ｃとの第１距離Ｌ１と、第２帯部１０ｂの中央３ｃ側の位置と中央３ｃとの第２距離Ｌ２とは、同じ寸法とされている。すなわち、Ｌ１＝Ｌ２の関係とされている。第２帯部１０ｂと本体部３の外側表面３ｄとの間に形成された空間は、第１帯部１０ａによって形成された空間と同形状とされており、例えばユーザの中指又は人差し指が挿入できる大きさとなっている。
【００３１】
図２に示すように、本体部３の裏面である内側には、複数の磁石７ａ，７ｂが設けられている。具体的には、一端３ａ側に第１磁石７ａが設けられ、他端３ｂ側に第２磁石７ｂが設けられている。なお、磁石の個数は２つに限定されるものではなく、両端のそれぞれに２つ以上設けても良い。
【００３２】
各磁石７ａ，７ｂは、永久磁石とされており、例えばネオジム磁石が用いられる。一対の磁石７ａ，７ｂは、図３に示すように、本体部３が折り返し部５で折り曲げられて磁石７ａ，７ｂ同士が対向するように位置した場合に、磁石７ａ，７ｂによる引力が働くように極性が定められている。
【００３３】
第１磁石７ａは、第１帯部１０ａに対応する位置に設けられている。具体的には、第１帯部１０ａの裏側に第１磁石７ａが位置している。第１磁石７ａの位置は、好ましくは、第１帯部１０ａにユーザの親指が挿入された場合に、親指の腹が当たる位置とされている。
【００３４】
第２磁石７ｂは、第２帯部１０ｂに対応する位置に設けられている。具体的には、第２帯部１０ｂの裏側に第２磁石７ｂが位置している。第２磁石７ｂの位置は、好ましくは、第２帯部１０ｂにユーザの中指又は人差し指が挿入された場合に、中指又は人差し指の腹が当たる位置とされている。
【００３５】
次に、上述したマグネットクリップ１の使用方法について説明する。
図４に示すように、第１帯部１０ａによって形成された空間に親指を挿入し、第２帯部１０ｂによって形成された空間に中指を挿入する。このときに、マグネットクリップ１は折り返し部５を境にして内側に折り曲げられている。このようにして、親指と中指を動かして第１磁石７ａと第２磁石７ｂとを接近離間させることによってマグネットクリップ１を片手で操作する。
【００３６】
そして、図５に示すように、マグネットクリップ１を用いてマスク（対象物）１２をＴシャツ（衣服）１４の裾に固定する。マスク１２は、ユーザの口に当たるフィルタ部１２ａと、ユーザの耳に引っ掛ける耳かけ部１２ｂとを備えている。このマスク１２のフィルタ部１２ａの内側面（口に当たる面）を内側にして半分に折り畳み、マグネットクリップ１を耳かけ部１２ｂによって形成された開口に挿入する。そして、折り畳んだフィルタ部１２ａとＴシャツ１４の裾を重ね合わせた上で、マグネットクリップ１の第１磁石７ａと第２磁石７ｂとで挟んでマスク１２を固定する。
【００３７】
以上の通り、本実施形態によれば以下の作用効果を奏する。
可撓性を有するシート状の本体部３の両端に第１磁石７ａと第２磁石７ｂが設けられている。本体部３の長手方向における中央３ｃの折り返し部５を内側に曲げて折り返すことによって、第１磁石７ａと第２磁石７ｂとを対向させて互いに吸着させることでてクリップを行うことができる。
【００３８】
第１磁石７ａに対応する位置には、本体部３の外側表面３ｄに対して指が挿入可能な空間を形成する第１帯部１０ａが設けられ、第２磁石７ｂに対応する位置には、本体部３の外側表面３ｄに対して指が挿入可能な空間を形成する第２帯部１０ｂが設けられている。これにより、ユーザは、第１帯部１０ａに親指を挿入し、かつ第２帯部１０ｂに中指や人差し指を挿入することによって、片手で第１磁石７ａと第２磁石７ｂとを接近離間させることができる。したがって、片手による簡便な操作でマスク１２などの対象物をＴシャツ１４の裾などの所定の固定位置に固定できる。
【００３９】
第１帯部１０ａ及び第２帯部１０ｂと本体部３の外側表面３ｄとの間に形成された空間が、本体部３の中央３ｃ側から先端側に向かう方向にしたがって狭くなるように形成されている。すなわち、帯部１０ａ，１０ｂと本体部３の外側表面３ｄとの間の空間に指を挿入する際に、挿入する側ほど空間が大きくなるようになっている。これにより、指が挿入しやすくなるだけでなく、指が奥に行くほど空間が狭くなるので挿入後の指を確実に保持することができる。
【００４０】
マグネットクリップ１とマスク１２とを組み合わせてマスクセットとして用いることで、マグネットクリップ１を用いてマスク１２を所定の固定位置に適宜固定することができる。これにより、マスク１２を紛失することを可及的に防止できる。
【００４１】
マスク１２のフィルタ部１２ａの内側面（ユーザの口に当たる面）を内側にして折り畳んだ状態で固定することができるので、衛生的にマスク１２を固定することができる。
【００４２】
マスク１２の耳かけ部１２ｂによって形成された開口にマグネットクリップ１を挿入してマスク１２のフィルタ部１２ａを固定することとしたので、コンパクトにマスク１２を固定することができる。
【００４３】
なお、上述した実施形態では、帯部１０ａ，１０ｂをアーチ形状に形成して本体部３の外側表面３ｄとの間に指の挿入前から空間を形成する構成として説明したが、本発明はこれに限定されるものではない。すなわち、第１帯部１０ａ及び第２帯部１０ｂは、本体部３の外側表面３ｄとの間に空間が形成可能とされていれば良い。例えば、帯部１０ａ，１０ｂをゴム等で形成し、指の挿入前は本体部３の外側表面に対して帯部が接するか或いはやや離れた状態とし、指を挿入することによって帯部１０ａ，１０ｂを押し広げて指が挿入する空間を形成するようにしても良い。
【００４４】
上述した実施形態では、図１に示したように、第１帯部１０ａと中央３ｃとの第１距離Ｌ１と、第２帯部１０ｂと中央３ｃとの第２距離Ｌ２とを同じ寸法とした（Ｌ１＝Ｌ２）が、以下のように変形することができる。
例えば、親指が挿入される第１帯部１０ａと中央３ｃとの第１距離Ｌ１を、中指又は人差し指が挿入される第２帯部１０ｂと中央３ｃとの第２距離Ｌ２よりも小さくしても良い（Ｌ１＜Ｌ２）。これにより、親指を第１帯部１０ａに挿入し、中指や人差し指を第２帯部１０ｂに挿入する場合に、親指は中指や人差し指よりも短いので、第１帯部１０ａに親指を挿入しやすくすることができる。
【００４５】
また、中指や人差し指よりも親指の方が太いので、親指が挿入される第１帯部１０によって形成される空間を、中指又は人差し指が挿入される第２帯部１０ｂによって形成される空間よりも大きくしても良い。
【００４６】
また、マグネットクリップ１によって固定されるマスク１２等の対象物の固定位置は、Ｔシャツの裾に限定されるものではなく、ポケットや他の部分であっても良いし、衣服に限らず壁などの他の固定位置であってもクリップ止めできる位置であれば良い。
【００４７】
マグネットクリップ１によって固定される対象物としてマスク１２を一例として説明したが、本発明はこれに限定されるものではなく、ハンカチ等であっても良い。
【符号の説明】
【００４８】
１  マグネットクリップ
３  本体部
３ａ  一端
３ｂ  他端
３ｃ  中央
３ｄ  外側表面
５  折り返し部
７ａ  第１磁石
７ｂ  第２磁石
１０ａ  第１帯部
１０ｂ  第２帯部
１２  マスク（対象物）
１２ａ  フィルタ部
１２ｂ  耳かけ部
１４  Ｔシャツ（衣服）
【要約】
【課題】簡便な操作でマスクなどの対象物を所定の固定位置に固定できるマグネットクリップを提供する。
【解決手段】マグネットクリップ１は、長手方向の中央３ｃを内側に曲げて折り返す折り返し部５を有する可撓性とされたシート状の本体部３と、本体部３の一端３ａに設けられた第１磁石７ａと、本体部３の他端３ｂに設けられ、本体部３を折り返し部５で折り曲げた場合に第１磁石７ａと対向した状態で互いに吸着する第２磁石７ｂと、本体部３の外側でかつ第１磁石７ａに対応する位置に設けられ、本体部３の外側表面に対して指が挿入可能な空間が形成可能な第１帯部１０ａと、本体部３の外側でかつ第２磁石７ｂに対応する位置に設けられ、本体部３の外側表面に対して指が挿入可能な空間が形成可能な第２帯部１０ｂとを備えている。
【選択図】図１【図１】
0006903213.tif 000002
【図２】
0006903213.tif 000003
【図３】
0006903213.tif 000004
【図４】
0006903213.tif 000005
【図５】
0006903213.tif 000006